(57)【要約】【課題】容器の重量測定精度を確保しつつ、耐衝撃性を向上させる。【解決手段】下面が略水平面上に延びるアッパースプリングシート２０、及び、ボンベなどの容器２４が載置固定されるボンベ架台２６を有する架台を、アッパースプリングシート２０の下面であって略正方形の各頂点に対応した４位置に配設したスプリング１６を介して、重量を計測するロードセル１４の上面に固定されたロワースプリングシート１８に連結して吊り下げる。このようにすれば、架台の傾きがスプリング１６により吸収されるので、架台の傾きにかかわらず容器２４の重量がロードセル１４に略垂直に作用し、その重量測定精度を確保することができる。また、容器２４又は架台に発生した振動などの衝撃がスプリング１６により緩和されるので、ロードセル１４に作用する衝撃が大幅に軽減され、ロードセル１４の重量計測精度の低下を抑制することができる。【選択図】  図１
2004212348.tif 000002
【特許請求の範囲】
【請求項１】
下面が略水平面上に延びる上部部材及び容器が載置固定される下部部材を有する架台を、該上部部材の下面に配設した弾性体を介して、重量を計測するロードセルの上面に連結したことを特徴とする容器の重量測定装置。
【請求項２】
前記弾性体は、前記容器の重心を通る鉛直線の周囲に、該鉛直線に対して略等距離かつ略等角度をなして少なくとも３つ配設されることを特徴とする請求項１記載の容器の重量測定装置。
【請求項３】
前記下部部材の下面を支持しつつ上方に押し上げ、前記架台を固定する固定機構を備えたことを特徴とする請求項１又は請求項２に記載の容器の重量測定装置。
【請求項４】
前記固定機構は、前記下部部材の下面と当接及び離間可能に配置されるプレートと、下端に固着されたハンドルを操作することで前記プレートを略鉛直方向に上下させる上下ハンドルと、を含んで構成されたことを特徴とする請求項３記載の容器の重量測定装置。
【発明の詳細な説明】
【０００１】
【発明の属する技術分野】
本発明は、気体や液体が充填された容器の重量を測定する重量測定装置において、重量測定精度を確保しつつ、耐衝撃性を向上させる技術に関する。
【０００２】
【従来の技術】
従来から、空調機器にフロンを充填するときに、その充填重量を把握するため、特許文献１に記載されるように、フロンが充填された容器の重量をロードセルにより測定する技術が公知である。かかる技術では、容器が傾いてもその重量を高精度に測定できるようにすべく、図６に示すように、球体１を介して、容器２を吊り下げる架台３をロードセル４に連結する構成が採用されている。そして、架台３とロードセル４とは、球体１の表面による点接触で連結されるため、何らかの要因で容器が傾いてもその重量がロードセル４に伝達され、容器重量を正確に測定することができる。
【０００３】
【特許文献１】
特開平８−１３６０９０号公報
【０００４】
【発明が解決しようとする課題】
しかしながら、かかる構成では、容器２の傾きにかかわらずその重量を正確に測定できるものの、容器２又は架台３に発生した衝撃（振動など）が球体１を介してロードセル４に直接伝達されてしまうため、長期間の使用に伴い、ロードセル４の重量計測精度が低下するおそれがあった。このため、容器重量の測定精度を許容範囲に保持するために、定期的なメンテナンスが必要であり、保守点検に要する労力が大であった。
【０００５】
そこで、本発明は以上のような従来の問題点に鑑み、容器を吊り下げる架台とロードセルとの連結構造を見直すことにより、容器の重量測定精度を確保しつつ、耐衝撃性を向上した容器の重量測定装置を提供することを目的とする。
【０００６】
【課題を解決するための手段】
このため、請求項１記載の発明では、下面が略水平面上に延びる上部部材及び容器が載置固定される下部部材を有する架台を、該上部部材の下面に配設した弾性体を介して、重量を計測するロードセルの上面に連結したことを特徴とする。
【０００７】
かかる構成によれば、架台の上部部材の下面に弾性体が配設されているため、架台が傾いても、その傾きが弾性体により吸収され、重量を計測するロードセルの上面に対して荷重が略垂直に作用する。このため、架台の傾きにかからわず、容器の重量が高精度に測定可能となる。また、架台に振動などの衝撃が発生しても、上部部材の下面に配設された弾性体により衝撃が緩和されるので、ロードセルに直接伝達される衝撃が大幅に軽減する。このため、衝撃によるロードセルの重量計測精度の低下が抑制され、保守点検に要する労力が軽減される。
【０００８】
請求項２記載の発明では、前記弾性体は、前記容器の重心を通る鉛直線の周囲に、該鉛直線に対して略等距離かつ略等角度をなして少なくとも３つ配設されることを特徴とする。
【０００９】
かかる構成によれば、弾性体が容器の重心を通る鉛直線の周囲に略対象に配置されるので、架台の傾き及び衝撃を全方向について吸収及び緩和させることが可能となり、重量測定精度及び衝撃緩和性能が一層向上される。
【００１０】
請求項３記載の発明では、前記下部部材の下面を支持しつつ上方に押し上げ、前記架台を固定する固定機構を備えたことを特徴とする。
かかる構成によれば、例えば、重量測定装置を移動するときに、下部部材の下面を上方に押し上げて架台を固定するようにすれば、移動時に発生した衝撃がロードセルに伝達されることが防止される。このため、弾性体では吸収しきれない衝撃がロードセルに伝達されることがなく、その重量計測精度の低下が確実に防止される。
【００１１】
請求項４記載の発明では、前記固定機構は、前記下部部材の下面と当接及び離間可能に配置されるプレートと、下端に固着されたハンドルを操作することで前記プレートを略鉛直方向に上下させる上下ハンドルと、を含んで構成されたことを特徴とする。
【００１２】
かかる構成によれば、ハンドルの操作に伴ってプレートが略鉛直方向に上下するので、下部部材を上方に押し上げて架台が固定される。
【００１３】
【発明の実施の形態】
以下、添付された図面を参照して本発明を詳述する。
図１は、本発明に係る容器の重量測定装置（以下「重量測定装置」という）の概略構成を示す。
【００１４】
床面や各種装置の筐体などに取り付けられたフレーム１０には、材軸が略水平方向に延びるロードセル固定ステー１２が固定される。ロードセル固定ステー１２の略中央上面には、重量を計測するロードセル１４の下面が固定される。また、ロードセル１４の上面には、板面が略水平方向に延び、略正方形の各頂点に対応した４位置に配設された弾性体としてのスプリング１６の下端面が固定されるロワースプリングシート１８が結合される。
【００１５】
一方、ロワースプリングシート１８の鉛直上方には、下面が略水平面上に延び、４つのスプリング１６の上端面が固定されるアッパースプリングシート２０（上部部材）が配設される。アッパースプリングシート２０の上面には、下方が開放された略コ字形状をなすハンガー２２が結合される。また、ハンガー２２の下端には、上面にボンベなどの容器２４が載置固定されるボンベ架台２６（下部部材）が固定される。
【００１６】
かかる構成を採用することで、いわゆる吊り下げ式の重量測定装置が実現される。ボンベ架台２６の吊り下げ構造を詳細に説明すると、図２及び図３に示すように、ロードセル固定用ステー１２の上面には、スペーサ２８を介して、ロードセル１４の下面が固定される。また、ロードセル１４の上面には、ロワースプリングシート１８の対向する２辺の略中央に形成された凸部１８Ａの底面が固定される。そして、ロワースプリングシート１８とアッパースプリングシート２０との間には、略円筒形状のスリーブ３０の外周に嵌合されたスプリング１６が、ボルト３２，ワッシャ３４及びナット３６を介して伸縮可能に固定される。
【００１７】
即ち、重量測定装置は、下面が略水平面上に延びるアッパースプリングシート２０及び容器２４が載置固定されるボンベ架台２６を有する架台を、アッパースプリングシート２０の下面に配設したスプリング１６を介して、ロードセル１４に連結して吊り下げる構成とする。
【００１８】
かかる構成によれば、何らかの要因により架台が傾いても、その傾きがスプリング１６により吸収されるので、重量を計測するロードセル１４の上面に対して荷重が略垂直に作用する。このため、架台の傾きにかからわず、容器２４の重量を高精度に測定することができる。また、架台に振動などの衝撃が発生しても、スプリング１６により衝撃が緩和されるので、ロードセル１４に直接伝達される衝撃が大幅に軽減する。このため、衝撃によるロードセル１４の重量計測精度の低下が抑制され、保守点検に要する労力を軽減することができる。そして、容器の重量測定精度を確保しつつ、耐衝撃性を向上することができる。
【００１９】
このとき、スプリング１６は、容器２４の重心を通る鉛直線の周囲に略対象に、即ち、鉛直線に対して略等距離かつ略等角度をなして配設されることが望ましい。このようにすれば、スプリング１６が容器の重心を通る鉛直線の周囲に略対象に配置されるので、架台の傾き及び衝撃を全方向について吸収及び緩和させることが可能となり、重量測定精度及び衝撃緩和性能が一層向上される。なお、スプリング１６は略正方形の頂点に対応した４位置に限らず、容器２４の重心を通る鉛直線の周囲に、鉛直線に対して略等距離かつ略等角度をなして少なくとも３つ配設すればよい。
【００２０】
また、重量測定装置を移動するときに、スプリング１６では吸収しきれない衝撃がロードセル１４に作用することを防止するために、図４及び図５に示すような固定機構４０を備えるようにしてもよい。
【００２１】
即ち、ボンベ架台２６の下方には、材軸が略水平方向に延びるハンドル固定用ステー４２が図示しないフレームに固定される。ボンベ架台２６の略中央に対向するハンドル固定用ステー４２の上面には、ナット４４が溶接などにより固着されると共に、下端にフランジ４６Ａが形成された略コ字形状のガイド４６が固定される。ナット４４には、ガイド４６の略中央部に開設された貫通孔４６Ｂを通るように、下端にロックハンドル４８が固定された雄螺子５０が回転自由に螺合される。ナット４４から上方に突出する雄螺子５０には、ワッシャ５２，押し上げ用プレート５４及びワッシャ５２が、高さ調整ナット５６及びプレート固定用ナット５８により狭持固定される。押し上げ用プレート５４としては、ボンベ架台２６の大きさに適合した面積を有する、例えば、円形，三角形，四角形などの各種形状の板材が採用可能である。なお、ボンベ架台２６の略中央には、固定機構４０のプレート固定用ナット５８の逃げとなるナット逃げ孔２６Ａが開設される。
【００２２】
かかる構成によれば、重量測定装置を移動するときに、ロックハンドル４８を回転させて押し上げ用プレート５４を鉛直上方に移動させれば、これと当接するボンべ架台２６が支持されつつ上方に押し上げられ、フレームに対して架台が固定される。このため、スプリング１６では吸収しきれない衝撃がロードセル１４に伝達されることがなく、ロードセル１４の重量計測精度が低下することを確実に防止することができる。また、固定機構４０は簡単な構造であるため、信頼性を確保しつつ、コスト上昇を抑制することができる。
【００２３】
なお、以上の実施形態では、弾性体としてスプリング１６を使用したが、圧縮弾性を有するゴムなどを使用してもよい。この場合には、ロワースプリングシート１８とアッパースプリングシート２０との略全面に、ゴムなどを配設するようにしてもよい。また、架台上のボンベ等の容器がずれることや架台から落下することを防止するため、ステーなどの固定部材により容器上部をボンベ架台２６に固定したり、容器を固定する突起状の部材，容器をはめ込む凹部又は滑り止めをボンベ架台２６底部上面に設けるようにしてもよい。
【００２４】
【発明の効果】
以上説明したように、請求項１記載の発明によれば、架台の傾きにかからわず、容器の重量を高精度に測定することができる。また、衝撃によるロードセルの重量計測精度の低下が抑制され、保守点検に要する労力を大幅に軽減することができる。
【００２５】
請求項２記載の発明によれば、架台の傾き及び衝撃を全方向について吸収及び緩和させることが可能となり、重量測定精度及び衝撃緩和性能を一層向上させることができる。
【００２６】
請求項３記載の発明によれば、例えば、重量測定装置を移動するときに、弾性体では吸収しきれない衝撃がロードセルに伝達されることが防止され、その重量計測精度の低下を確実に防止することができる。
【００２７】
請求項４記載の発明によれば、ハンドルの操作に伴ってプレートが略鉛直方向に上下するので、下部部材を上方に押し上げて架台を固定できる。また、固定機構は簡単な構造であるため、信頼性を確保しつつ、コスト上昇を抑制することができる。
【図面の簡単な説明】
【図１】本発明に係る重量測定装置の概略構成図
【図２】同上の架台吊り下げ構造の詳細を示す斜視図
【図３】同上の要部を示す断面図
【図４】同上の固定機構の詳細を示す斜視図
【図５】同上の要部を示す断面図
【図６】従来技術に係る重量測定装置の概略構成図
【符号の説明】
１４  ロードセル
１６  スプリング
２０  アッパースプリングシート
２４  容器
２６  ボンベ架台
４０  固定機構
４４  ナット
４８  ロックハンドル
５０  雄螺子
５４  押し上げ用プレート
５６  高さ調整ナット
５８  プレート固定用ナット
【図１】
2004212348.tif 000003
【図２】
2004212348.tif 000004
【図３】
2004212348.tif 000005
【図４】
2004212348.tif 000006
【図５】
2004212348.tif 000007
【図６】
2004212348.tif 000008